(57)【要約】請求の範囲に記載されている本発明の属する技術分野は、健康促進に寄与する台部を有する履物であり、玩具的効果、とりわけ動く玩具の効果をも備えたものである。本発明が解決しようとする技術的課題及びその解決方法の要点は、履物に足指付根裏へ紐を引掛ける構造を与えることにより、足指付根裏部分と足指付根の側面部分両方への良好な刺激が可能になることである。さらに、使用している足を地面へ踏み込ませたとき、足指付根裏へ引掛けられた紐が引張られる力を利用して、紐の位置決め部や甲皮の形状を変化させるようにして動く玩具の効果を引き出すというものである。
2004030482.tif 000002
【特許請求の範囲】
【請求項１】
一本の紐において“任意の二〜六ヶ所のうち一ヶ所が台部または甲皮に位置決めされ、他ヶ所が台部、甲皮、紐自身のいずれかに位置決めされ”、前記一本の紐において“隣り合う位置決め部の間にある紐部分は足指に向けて足指付根裏へ引掛けることができる長さとなっており”、さらに“甲皮を設けた”ことを特徴とする履物。
【請求項２】
手指を突っ込んで、足指付根裏へ紐を引掛ることのできる“穴”、“蓋”、“切れ目”のいずれかを甲皮に設けたことを特徴とする請求項１記載の履物。
【請求項３】
甲皮を左右に切断し、“位置決め部を切断された甲皮それぞれに少なくとも一つずつ設けることに限定した”ことを特徴とする請求項１〜２いずれか記載の履物。
【請求項４】
履いたとき、または使用している足を地面へ踏み込ませたときに足指付根裏へ引掛けられた紐が引張られる力を利用して、“全ての位置決め部のうち一ヶ所〜六ヶ所”の形状や、“位置決め部のある甲皮”の形状が変化することを特徴とした請求項１〜３いずれか記載の履物。
【請求項５】
少なくとも足指付根裏に引掛かる紐部分を“芯入りの紐”としたことを特徴とする請求項１〜４いずれか記載の履物。
【請求項６】
少なくとも足指付根裏に引掛かる紐部分を、“リボン状”にしたことを特徴とする請求項１〜５いずれか記載の履物。
【請求項７】
紐を一本ではなく、複数本に賛えたことを特徴とする請求項１〜６記載の履物。
【請求項８】
足指付根裏へ引掛けられるに可能な紐が設けられた履物を履くときに、前記紐を足指付根裏へ引掛けて健康を促進させることができるという新規で有用な発見。
【発明の詳細な説明】
【技術分野】  本発明は、＜１＞と＜２＞に列挙する全ての技術分野に関する。
＜１＞  健康を促進させる履物。
＜２＞  玩具的効果を有する履物。
【背景技術】  ＜１１＞から＜１５＞に列挙する従来の技術では＜２１＞と＜２３＞、そして場合により＜２２＞に示すいずれかの欠点があった。
＜１１＞  日本国  特開平１０−２６２７０３
＜１２＞  日本国  意匠登録１１５７０４５
＜１３＞  ２００３年３月３０日発行  編集・発行人・小山内義範  株式会社ワニマガジン社  「グッチ  パーフェクトブック」  ０９３ページ
＜１４＞  「服飾図鑑」１９９０年１１月１１日  第一刷  文化出版局出版、文化服飾学院研究企画委員会編  ２４２ページ  手甲下の図
＜１５＞  「服飾図鑑」１９９０年１１月１１日  第一刷  文化出版局出版、文化服飾学院研究企画委員会編  ２０１ページ  甲付きスパッツの図
＜２１＞  足指付根裏部分、それに足指付根の側面部分両方への良好な刺激をする技術的思想の創作ではなかった。
＜２２＞  台部を有する履物に特化していなかった。
＜２３＞  玩具的効果、とりわけ動く玩具の要素を含む技術的思想の創作ではなかった。
本発明は上記＜２１＞かつ＜２２＞を、場合によりさらに＜２３＞をも解決し、以降に示すように、さらなる追加効果を有する技術的思想の創作である。
【発明の開示】
紐を台部や甲皮、それに紐自身に位置決めし、紐に対し、足指へ向けて足指付根裏へ引掛けることができる長さ、形状を持たせることによって足指付根裏と足指付根側面の両方へ良好な刺激を与えることができる履物となる。本発明による履物において、紐の位置決め部が二〜六ヶ所であるのは、引掛けるに可能な足指が一本から五本あることに由来する。また、一本の紐で構成されているのは、位置決め部に対して紐を自由端とすることによって各足指付根裏への引掛け強さを分散させやすい効果があるためである。もちろん、自由端とせずに固定することも可能である。
また、“紐の端に一番近い位置決め部”が“紐の端と一致せず固定されていない”ような場合は、紐の端が“紐自身を含めた履物自身のどこかに固定される”ことが前提となっている。これは、紐の端同士を接続してリング状となっていていることも含まれる。紐を足指付根裏へ引掛けて、“足指付根裏と足指付根側面の両方へ良好な刺激を与える”という大前提を考えれば容易に推測し得ることだろう。また、一本の紐にこだわらず、“位置決め部が二〜六ヶ所ある紐”が複数設けられていても構わない。この場合、足指ごとに刺激する強さを意図的にアンバランスにさせる効果がある。
足指付根裏への刺激については、歩行時に痛みを感じさせず、かつ良好な刺激を実現させることが要求される。これを解決するため例えば、紐同士が重なり合わない実施の形態では触感の軟らかい牛皮などで覆われた直径７ｍｍ程度の円形の断面を持つ芯入りの紐などが良好。
紐の形状や材質を紐同士が重なり合うような実施の形態では、少なくとも重なり合うその部分においては断面の幅が１０ｍｍ程度のリボン状で、材質は強度や耐久性にすぐれた鹿皮やポリエステル繊維などが推奨される。リボン状でかつ芯入りの紐も良好。また、やや太めの紐が好ましいので断面が円形でかつ、隣り合う位置決め部の間にある紐部分の長さが短いと、足指へ紐を引掛けにくくなる傾向がある。
本発明による履物はバンドなど、甲皮の形状に依存して足の締付け具合でも良好な刺激を調節できるし、紐へ緊締具を設けたりすることによっても調節することができるので、“背景技術からの進歩性という観点のみ”で言えば、紐の形状や材質にこだわる必要は無い。紐へ緊締具を設けたような場合は緊締具の脱着による紐の疲弊をかんがみれば、一本の紐の全部分を同形状、同材質にするこだわりも不要となる。
さらには以降に記述する発明を実施する最良の形態へ示すように、紐の位置決め部に機械的な動作機構を備えたり、伸縮性の高いゴム布などを用いたりすることによって、使用する足指に引掛けられた紐を使用者が手や引掛けられた足指で引張ったときに位置決め部や位置決め部のある甲皮の形状を変化させることができる。
【図面の簡単な説明】  図１は甲皮を左右に切断したにもかかわらず、“足が地面から浮いているときに台部から足を離脱しにくくさせるという甲皮の機能を復活させた効果”を有する実施の形態。
図２は図１を雛形として、位置決め部のある甲皮の形状が変化する玩具的効果を有する典型で、“引掛け強さを和らげる効果”をも有する実施の形態。
図３は玩具的効果が強く発揮された靴であり、位置決め部が前後に動く典型。
図４は図３の位置決め部の動作機構を示した分解斜視図。
図５も図３の位置決め部の動作機構を示した側面図。
図６は露出した足指を活用して玩具的効果を引き出した典型で、使用者の足指の末梢神経を活発にし、体全体における血液の循環を良くする効果を有した実施の形態。
図７は図６の位置決め部の動作機構を示したもので、図４や図５よりも簡単な構造によって位置決め部が前後に動く。
図８は位置決め部が回動する甲皮部分の機構を示したもの。裏甲皮の上面拡大図。
図９は図８の動作機構を利用した実施の形態。
図１０は一本の紐によって複数の足指付根裏を刺激することができることを示した典型で、刺激部分を分散させる効果を有する実施の形態。
図１１は位置決め部を紐自身に設けることによる利点を引き出した典型。
図１２は紐に甲皮の機能を兼備させることのできる効果を持つ実施の形態。
【発明を実施するための最良の形態】  本発明をより詳細に説述するために、添付の図面に従ってこれを説明する。
図１の実施の形態では足指付根裏へ紐（１）を交叉させるようにして引掛けることが必須となる。また、構造の特性上、台部、甲皮（３）、紐（１）の材質に留意が必要となる。使用している足が地面から浮いているときに台部から足を離脱しにくくさせるために、台部を軽い材質にすること、甲皮（３）を軟らかい布ではなく硬めの材質にすること、紐（１）の材質を位置決め部（２）が来る甲皮（３）と近い硬さにすること、そして甲皮（３）と足の甲との摩擦による使用者の痛みを減じる措置が推奨される。ちなみに当実施の形態では位置決め部（２）は甲皮へ固定されている。
発明者の実験では台部を発泡ポリウレタンに、甲皮（３）を厚さ０．８ｍｍの軟質塩化ビニールシートに、紐（１）と甲皮（３）周縁内側を“犬の散歩用リードに用いられる、極細ナイロン糸を編んでリボン状にした紐”とすることでこの問題が解決された。
図２は図１の応用。切断された甲皮の外側に切れ目（４）を入れ、甲皮の内側（３ｃ）を外側よりも伸縮性の高いゴム布などとすることにより、使用前と使用中とで切断された甲皮の形状が変化する。
なお当実施の形態では、使用している足が地面から浮いているときに台部から足を離脱しにくくさせる手段として、切断された甲皮同士を橋（５）によりつないでいる。これにより使用者は、紐（１）が足指付根裏へ引掛けるためのものであるということを認識しやすくなる。また、使用している足が地面から浮いているときに、この足が後ろへ跳ね戻りにくくする手段としてバックストラップを設けている。
図３ではまず甲皮（３）へ、“白目輪郭の穴を設け、胸ビレをも含んで一つなぎとなっているイルカの表皮（１３）”をかぶせている。イルカの胸ビレと目を紐（１）両端における位置決め部（２ａ）（２ｂ）としている。当実施の形態ではイルカの胴から尾ビレにかけてここを開閉可能な蓋（６）とし、その下に穴（７）を設けている。これにより使用者が当実施の形態における履物を履くときに穴（７）から手指で紐（１）を足指付根裏へ引掛けやすくしている。
使用者へはイルカの尾ビレをはがす楽しみと、はがしたときに現れた紐（１）を手指で引張りイルカの胸ビレと目を動かす楽しみと、使用している足を地面へ踏み込ませたり踏み込ませなかったりすることでイルカの胸ビレと目が前後に動く楽しみ、そして最後は歩行するときにイルカの胸ビレと目が前後に動く楽しみとの四段階の娯楽が提供される効果を有する。
また、従来の靴などに比べて、足を踏み込んだときにきに足指付根裏が後ろ方向へ引張られる力の分だけ、甲皮による足先への圧迫を減じることができる効果も見逃せない。
イルカの胸ビレにあたる位置決め部（２ａ）と目にあたる位置決め部（２ｂ）についてはその動作機構の拡大を図５と図４に示しておく。
図４の説明。黒目（１２）が前後に動く動作機構を実現するために、上からイルカの表皮（１３）、黒目を施した白目（１４）、甲皮（３）の順に重ねる。ゴム紐（１５）は、紐（１）が足指などで前方へ引張られていないときに白目（１４）を後ろへ引き戻す機構。白目（１４）は薄いつや消しのプラスチック板などにすると上下にあるイルカの表皮（１３）と甲皮（３）との摩擦を少なくさせる効果を発揮する。また、白目（１４）を楕円状にすることによって、黒目を施した白目（１４）が前後へ動くスムーズな動作機構を助けている。角張っているとイルカの表皮（１３）や甲皮（３）に引っかかってしまうのである。
図５における動作機構については軸（８）に巻き線バネを設けた蝶番へ紐固定部（９）を設けるのが本態である。使用していないときは蝶番は閉じていて、紐（１）を前方へ引張ると蝶番が開くしくみ。蝶番下板（１０）の下面を甲皮（３）上面に固定し、蝶番上板（１１）と紐固定部（９）とを袋状にしたイルカの胸ビレで覆い、蝶番下板（１０）の上面をイルカの胴で覆うことにより機械的な構造を隠すことができる。
図６は、露出した足指をイカの足に見立てることのできる玩具的効果を備えた実施の形態。足中指はイカの口である。使用者が自主的に足指を動かすという心理的効果をも有しこれにより、使用者の足指の末梢神経を活発にし、体全体における血液の循環を良くする効果を結果する。位置決め部の動作機構については図７に示すとおり、紐（１）を前へ引張ったときに白目（１６）から生えたきのこの枝が前方へ曲がってきのこの笠、つまり黒目が動く。紐（１）はリング状となっており、きのこの枝へ引掛けられて自由端となっている。当実施の形態では、きのこの笠ときのこの枝が位置決め部（２）となっている。
図８は位置決め部（２ｃ）が回動する動作機構を示したもので、裏甲皮（３ａ）の拡大図。ゴム布などでできている位置決め部（２ｃ）へ紐（１）が通されていて、紐（１）は位置決め部（２ｃ）に対して自由端となっている。
図９は、図８に示した動作機構を利用した実施の形態で、二層構造の甲皮が必要となる。まず複雑な見た目を覆い隠すために、裏甲皮（３ａ）に表甲皮（３ｂ）を重ねる。そして位置決め部（２ｃ）が露出するように表甲皮（３ｂ）に丸い穴を二つ設ける。そして、露出した位置決め部（２ｃ）の上面へ左男性様の羽（１７）の顎付近と右女性様の羽（１８）の顎付近とを固定する。これにより、紐（１）を前方へ引張ることで左男性様の羽（１７）と右女性様の羽（１８）とがキスをすることができる。また経験のある人にとっては当然のことだが、キスをするときに男女はお互い、頭を左右反対にかしげる。当実施の形態でも同じことが言える。つまり右女性様の羽（１８）の頭部分を厚くすることによって、また、左男性様の羽（１７）の顎部分を厚くすることによってより情熱的なディープキスが成就する。
男女は情熟的なキスによって一体となり、一厘の花になる。男女の恋を妨げる権利は誰にもないだろう。発明者といえども。
図１０では三連ある位置決め部（２ｄ）（２ｅ）（２ｄ）の内、真中の位置決め部（２ｅ）を紐（１）に対して自由端とすることによって、二ヵ所ある足指付根裏への刺激強さを分散させる効果が発生する。紐（３ｄ）にはバンドとなっている甲皮が細い場合に、後方へ甲皮をつなぎとめる効果がある。
図１１（Ａ）では紐自身への位置決め部（２ｋ）が紐（１）から脱着できる留具となっている。位置決め部（２ｋ）が紐（１）からはずれたものが図１１（Ｂ）。
これにより紐自身への位置決め部を前後に移動することができ、引掛ける足指を変えたり、引掛け強さを調節することができる。
甲皮（３）が、引掛けられたときの紐に沿うような形状をしているのは、留具となっている位置決め部（２ｋ）が足の甲を傷つけない効果を与えているのである。引掛ける足指を変えた場合でもこの効果を与えるために、紐に沿う甲皮（３）部分はある程度の幅を持ち、前方へ少し広がっている。
図１２は紐に甲皮の機能を兼備させることのできる効果を持つ実施の形態。ひとつなぎとなっている一本の紐であっても、紐部分（１）と紐部分（３ｅ）とで機能が異なる。図１２（Ｂ）では、紐部分（３ｅ）は紐固定部（１９）を起点をとして足の外側、位置決め部（２ｆ）の順に周る。ここまでが甲皮の機能。次に足の内側を紐部分（１）が周り、次に中指に引掛けられ、最後に留具となっている位置決め部（２ｇ）（２ｈ）同士が重なって固定される。位置決め部（２ｇ）は紐部分（１）の端に固定されている。
図１２（Ａ）に示されている位置決め部（２ｈ）には紐部分（１）（３ｅ）を通すことのできる穴を設けて紐部分（３ｅ）が自由端となっている。ただし、位置決め部（２ｇ）（２ｈ）がお互いに固定されたときには紐部分（１）（３ｅ）は位置決め部（２ｈ）によって固定されている必要があり、位置決め部（２ｇ）（２ｈ）同士を固定する直前に位置決め部（２ｈ）を前後にスライドさせることによって引掛け強さを調節することができる。そして位置決め部（２ｇ）を位置決め部（２ｈ）へ固定するのである。
なお、当実施の形態では当然、引掛ける足指を替えることができるという効果も有している。また、紐固定部（１９）は台部上面のどの足股部分に位置していてもよく、使用している足が地面から浮いているときに台部から足を離脱させにくくさせるために“紐部分（１）（３ｅ）の、紐固定部（１９）付近と位置決め部（２ｆ）付近を硬い材質とし”たり、“バンドなどの甲皮をさらに設け”たりしても構わない。
【産業上の利用の可能性】
本発明は、次の＜１０１＞から＜１０５＞に列挙する全てにおいて、産業上の利用の可能性を有している。
＜１０１＞  足指付根裏と足指付根側面両方の刺激を後ろ方向へすることができる。
＜１０２＞  玩具的効果、とりわけ動く玩具の要素を付加することができる。
＜１０３＞  足指並びの横アーチ矯正が可能である。（朝日新聞２００２／１１／２０８ページ  “ウォーキングサポーターの考え方”見出しの図  を参照。）
＜１０４＞  パンプスへの応用を典型とするが、従来の靴などに比べて、足を踏み込んだときにきに足指付根裏が後ろ方向へ引張られる力の分だけ、甲皮による足先への圧迫を減じることができる。
＜１０５＞  足を地面へ踏み込ませたときに紐が引張られる力を利用して万歩計などへの応用をはじめ、位置決め部を機械的なスイッチとして使用することが可能である。
【図１】
2004030482.tif 000003
【図２】
2004030482.tif 000004
【図３】
2004030482.tif 000005
【図４】
2004030482.tif 000006
【図５】
2004030482.tif 000007
【図６】
2004030482.tif 000008
【図７】
2004030482.tif 000009
【図８】
2004030482.tif 000010
【図９】
2004030482.tif 000011
【図１０】
2004030482.tif 000012
【図１１】
2004030482.tif 000013
【図１２】
2004030482.tif 000014
【国際調査報告】
2004030482.tif 000015
2004030482.tif 000016